(57)【要約】【課題】繰り返し使用でき、容易に、しかも安全に、土を袋から取り出すことのできる土処理袋を提供する。【解決手段】前面側壁１１と後面側壁１２と側面側壁１３とからなる袋本体１と、主要底蓋２１と３枚の補助底蓋２２とからなる底蓋２と、４本のベルト状物３１による提げ手３と、底蓋開具４とを備え、底蓋２が開放可能であり、主要底蓋２１には、先端側が袋本体１の前面側壁１１に届く閉込ベルト２１１が取り付けられ、底蓋開具４は、取付ベルト４１と、バックル４２と、先端側に固定リング４３を有する中間ベルト４４と、通過リング４５と、開放紐４６とを備えている。【選択図】  図１
2004331128.tif 000002
【特許請求の範囲】
【請求項１】
折り畳み可能な素材による袋本体と底蓋と提げ手と底蓋開具とを備え、底蓋が開放可能であって、次の構成を有する土処理袋。
袋本体は、前面側壁と後面側壁と側面側壁とを含み、天井面及び底面が開放している。
底蓋は、１枚の主要底蓋と３枚の補助底蓋とを含み、主要底蓋の一片が袋本体の後面側壁の下端部に取り付けられ、１枚の補助底蓋の一片が袋本体の前面側壁の下端部に取り付けられ、２枚の補助底蓋の一片が袋本体の側面側壁の下端部に各々取り付けられている。
主要底蓋には、先端側が袋本体の前面側壁に届く閉込ベルトが取り付けられている。
提げ手は、袋本体に取り付けられ、前面側壁に提げ手の取付部が位置している。
底蓋開具は、取付ベルトと、上下に可動するバックル軸を有するバックルと、先端側に固定リングを有する中間ベルトと、提げ手の根元部に取り付けられた２個の通過リングと、開放紐とを含み、１個の取付ベルトと１個のバックルとを１組として、２組の取付ベルト及びバックルを有している。
２個のバックルは、袋本体の前面側壁の提げ手の取付部の鉛直軸上に取付ベルトによって取り付けられている。
バックルには、先端側に固定リングを有する中間ベルトが取り付けられ、通過リングを通した開放紐を、各固定リングに結びつけることで、バックル同士が開放紐を介して結ばれている。
【請求項２】
固定リングの位置保持手段を備えたことを特徴とする、請求項１に記載の土処理袋。
【請求項３】
固定リングの位置保持手段が、閉込ベルトに取り付けた位置保持リングであることを特徴とする、請求項２に記載の土処理袋。
【請求項４】
袋本体の天井面に、袋本体の上端部に一片が取り付けられた折り込み可能な蓋を備えたことを特徴とする、請求項１〜３のいずれか一つに記載の土処理袋。
【発明の詳細な説明】
【０００１】
【発明の属する技術分野】
本発明は、主に工事現場等で生じる残土やガラ、礫等を処理するために用いる土処理袋に関する。
【０００２】
【従来の技術及び発明が解決しようとする課題】
工事現場では、地面を掘り返したりする作業に伴い、大量の残土が生じる。これらの残土を保存したり他の場所へ移動させたりするための土処理袋は過去にも使用されていた。
【０００３】
それらの袋においては、袋に残土を詰めた後、袋の中から残土を取り出すために、袋を破る、袋の底についているジッパーを開く、または袋をロープ等であらかじめ縛っておき、取り出す際にそのロープを解く、などという手順が必要であった。
【０００４】
例えば、特許文献１には、掘削土の処理方法において、袋体を用い、吊り上げた袋体を破いて、或いは底部に設けた紐等を解くことで開いて内部の掘削土を落下させることが提案されている。
【０００５】
しかし、残土を袋から出す度に袋を破っていては不経済であるし、また、袋の底についているジッパーを開く、もしくは袋を縛っているロープを解くという行為は、非常に手間がかかり、さらに、作業者が、残土を入れた袋の側または下に行って行わなければならず、特に、大量の残土を一度に処理する場合には、作業者の身に危険が伴う可能性があった。
【０００６】
そのような理由から、経済的で、容易に取り扱うことができ、かつ、作業者の身の安全が確保できるような土処理袋が望まれていた。
【０００７】
即ち、本発明の解決すべき課題は、繰り返し使用でき、容易に、しかも安全に、土を袋から取り出すことのでき、使い勝手に優れた土処理袋を提供することにある。
【０００８】
【特許文献１】
特開平１１−２４７２２２号公報
【０００９】
【課題を解決するための手段】
本発明の課題を解決するための手段は、次のとおりである。
【００１０】
第１に、折り畳み可能な素材による袋本体と底蓋と提げ手と底蓋開具とを備え、底蓋が開放可能であって、次の構成を有する土処理袋。
袋本体は、前面側壁と後面側壁と側面側壁とを含み、天井面及び底面が開放している。
底蓋は、１枚の主要底蓋と３枚の補助底蓋とを含み、主要底蓋の一片が袋本体の後面側壁の下端部に取り付けられ、１枚の補助底蓋の一片が袋本体の前面側壁の下端部に取り付けられ、２枚の補助底蓋の一片が袋本体の側面側壁の下端部に各々取り付けられている。
主要底蓋には、先端側が袋本体の前面側壁に届く閉込ベルトが取り付けられている。
提げ手は、袋本体に取り付けられ、前面側壁に提げ手の取付部が位置している。
底蓋開具は、取付ベルトと、上下に可動するバックル軸を有するバックルと、先端側に固定リングを有する中間ベルトと、提げ手の根元部に取り付けられた２個の通過リングと、開放紐とを含み、１個の取付ベルトと１個のバックルとを１組として、２組の取付ベルト及びバックルを有している。
２個のバックルは、袋本体の前面側壁の提げ手の取付部の鉛直軸上に取付ベルトによって取り付けられている。
バックルには、先端側に固定リングを有する中間ベルトが取り付けられ、通過リングを通した開放紐を、各固定リングに結びつけることで、バックル同士が開放紐を介して結ばれている。
第２に、固定リングの位置保持手段を備えたことを特徴とする、上記第１に記載の土処理袋。
第３に、固定リングの位置保持手段が、閉込ベルトに取り付けた位置保持リングであることを特徴とする、上記第２に記載の土処理袋。
第４に、袋本体の天井面に、袋本体の上端部に一片が取り付けられた折り込み可能な蓋を備えたことを特徴とする、上記第１〜３のいずれか一つに記載の土処理袋。
【００１１】
ここで、固定リングの位置保持手段として、袋本体の前面側壁に位置保持リングを取り付けたものも採用できる。
【００１２】
残土を運ぶ際には、底蓋を組み合わせ、最後に主要底蓋に取り付けられた閉込ベルトを、袋本体に取付ベルトによって取り付けられたバックルに通して締め付け、固定リングを位置保持リングで保持することで、上方への吊り上がりを防止しつつ、底蓋を閉じて使用する。
残土を袋本体から排出する際には、バックルに中間ベルトの固定リングを介して結ばれた開放紐を手元側へ引くことにより、バックルが上方に吊り上がることで、バックルが弛まる。
そして、袋中の残土の重さにより、自動的に閉込ベルトが外れることで底蓋が開き、残土が落下する。
【００１３】
本発明の土処理袋は、残土を処理する他に、埋め戻しのための土の処理や、他の場所からの工事現場への土や砂等の輸送および処理に使用してもよい。
【００１４】
【発明の実施の形態】
以下、添付図面を参照して本発明の土処理袋の実施の形態について詳細に説明するが、以下の例は本発明の土処理袋を例示的に説明するだけであり、本発明の範囲を制限するものではない。
【００１５】
図１は、本発明の土処理袋の斜視図である。
図２は、本発明の土処理袋の組み合わせ手順の一例の斜視図である。
図３は、本発明の土処理袋の使用状態の一例の斜視図である。
図４は、本発明の土処理袋の底蓋開具の動作の説明図である。
【００１６】
本発明の土処理袋は、主に図１に示すように、折り畳み可能な素材であって引っ張りや引っ掻きに強い素材による袋本体１と、袋本体１と同素材による底蓋２と、引っ張りに強い素材によるベルト状物による提げ手３と、底蓋開具４と、袋本体１と同素材による折り込み可能な蓋５とを備え、底蓋２が開放可能なものである。
【００１７】
袋本体１は、四角形断面の箱状物を構成するものであり、前面側壁１１と後面側壁１２と、２個の側面側壁１３とからなり、天井面及び底面が開放したものである。
【００１８】
底蓋２は、袋本体１の底面より前後が大きなサイズの１枚の主要底蓋２１と、袋本体１の底面より小さなサイズの３枚の補助底蓋２２とからなり、主要底蓋２１の一片が袋本体１の後面側壁１２の下端部に取り付けられている。
また、１枚の補助底蓋２２の一片が、袋本体１の前面側壁１１の下端部に取り付けられている。
さらに、２枚の補助底蓋２２の一片が袋本体１の側面側壁１３の下端部に各々取り付けられている。
主要底蓋２１には、引っ張りに強い素材による閉込ベルト２１１が、先端側が袋本体１の前面側壁１１に回り込んで届くように、左右２箇所に取り付けられている。
【００１９】
提げ手３は、４本のベルト状物３１からなり、該ベルト状物３１の両端の取付部が、袋本体１に縫い付けられている。
４本のベルト状物３１の中で、２本のベルト状物３１の一端の取付部が、前面側壁１１に位置している。
【００２０】
底蓋開具４は、全体が前面側壁１１に縫い込まれた取付ベルト４１と、図４に示すように、上下に可動するバックル軸４２１を有するバックル４２と、先端側に固定リング４３を有する中間ベルト４４と、前面側壁１１に位置するベルト状物３１の根元部に取り付けられた通過リング４５と、開放紐４６と、開放紐の中間部に取り付けられた引張リング４７とからなる。
【００２１】
図１に示すように、１個の取付ベルト４１と１個のバックル４２とを１組として、２組の取付ベルト４１及びバックル４２を、前面側壁１１に有している。
２個のバックル４２は、袋本体１の前面側壁１１の提げ手３であるベルト状物３１の取付部の鉛直軸上に、取付ベルト４１によって取り付けられている。
ここで、バックル４２は、袋本体１に対して直接固定されていないので、取付ベルト４１の取り付け端を支軸として、他端側が円弧状に動くことができる。
バックル４２には、内部を上下に可動するバックル軸４２１が、バックル４２の短手方向に対して平行に位置している。
該バックル軸４２１は、閉込ベルト２１１をしっかり押さえられるように、表面が微少刺状に形成され、抵抗の増大を図っている。
【００２２】
バックル４２には、図４に示すように、先端側に固定リング４３を有する中間ベルト４４が取り付けられ、通過リング４５を通した開放紐４６を、各固定リング４３に結びつけることで、バックル４２同士が開放紐４６を介して結ばれている。
そして、固定リング４３の位置保持手段として、閉込ベルト２１１にフック状の位置保持リング４８が取り付けられている。
【００２３】
蓋５は、袋本体１の天井面より大きな面積を有し、袋本体１の後面側壁１２の上端部に一片が取り付けられている。
【００２４】
上記の土処理袋を使用する際には、底蓋２を閉じるが、その際には持ち運びに便利なように折りたたんだ状態の土処理袋を、図２に示すように、まず３枚の補助底蓋２２を袋本体１側に折り込み、その外側からさらに主要底蓋２１を被せる。
そして、図３に示すように、主要底蓋２１に取り付けられた２本の閉込ベルト２１１を、袋本体１の前面側壁１１に取り付けられた２個のバックル４２に各々組み合わせ、図４中の（Ａ）に示すように、位置保持リング４８で固定リング４３を留めることで、固定リング４３が不意に上方に持ち上がることを防止しつつ、底蓋２を閉じる。
【００２５】
ここで、バックル４２に閉込ベルト２１１を組み合わせる際には、図４中の（ｃ）に示すように、中間ベルト４４を上方に持ち上げてバックル４２を裏返すようにしてから、まず、閉込ベルト２１１を、中間ベルト４４との接続側とは反対側端のバックル４２とバックル軸４２１との隙間からバックル４２に差し入れ、中間ベルト４４との接続側から引き出す。
その後、図４中の（Ｂ）に示すように、中間ベルト４４を下方に下げることでバックル軸４２１が閉込ベルト２１１を下方に向かって押さえ込む。
【００２６】
このようにして底蓋２を閉じた状態の土処理袋の中に、土処理の一種である残土処理の一例として、例えば、土、ガラ、礫、コンリートブロック等を入れると、底蓋２に残土の重みが加わり、閉込ベルト２１１がより強固に押さえ込まれることになる。
【００２７】
なお、残土があまり入っていないときは、土処理袋をより安定させるために、袋本体１を外側に折り捲って、袋の高さを低くして使用すると良い。
【００２８】
使用中に何らかの拍子で誤って開放紐４６が引かれたり、中間ベルト４４が上方に持ち上がることで、閉込ベルト２１１が弛む可能性が考えられるが、位置保持リング４８によって固定リング４３を固定することで、弛み防止を図ることが可能となる。
【００２９】
土処理袋に入れた残土を排出するために底蓋２を開く際には、まず、図４中の（Ｂ）に示すように、位置保持リング４８を固定リング４３から外す。
次に、図４中の（Ｃ）に示すように、開放紐４６の引張リング４７を持って手元側に引くことで、通過リング４５を通る開放紐４６は、中間ベルト４４と共にバックル４２を上方向に引っ張るため、バックル４２が裏返しになる。
すると、閉込ベルト２１１を押さえていた力が弱まり、残土の自重により、自然に閉込ベルト２１１がバックル４２から抜けることで、底蓋２が開かれ、土処理袋内から残土が落下する。
【００３０】
ここで、開放紐４６として、ある程度の長さのものを用意することで、作業者が土処理袋から離れた場所から容易に底蓋２を開いて、残土を排出することが可能となるので、作業者の安全が確保できる。
【００３１】
そして、バックホーやユニック車により、提げ手３を吊り上げてダンプの上などで底蓋２を開けると、残土がダンプの上に直接流出し、そのまま輸送することができるので、作業の軽減、迅速化、及び、作業場所の清潔化につながる。
【００３２】
また、蓋５を設けることで、土処理袋に入れた残土を雨風から保護したり、残土が袋の外へこぼれるのを防いだりすることが可能になり、より使い勝手に優れたものとなる。
【００３３】
【発明の効果】
以上に述べた本発明の土処理袋により、作業を容易に、効率よく進めることができ、施工時間が短縮でき、使い勝手に優れている。
また、袋から離れた場所から容易に袋の底蓋を開け、袋の中から土を取り出すことができるので、作業者の身の安全が確保できる。
加えて、袋本体が丈夫にできており、袋を傷つけることなく土を袋から取り出せる仕組みを有しているので、該袋を繰り返し用いることができ、経済的にも非常に有利である。
さらに、掘削等を行う現場のすぐ側で使用することができるので、路面を汚さない作業、狭い路地などでの工事、重機の節約などが可能になり、それにより、都内などの工事現場の環境を守ることができ、工事のイメージアップにもつながる。
【図面の簡単な説明】
【図１】本発明の土処理袋の斜視図である。
【図２】本発明の土処理袋の組み合わせ手順の一例の斜視図である。
【図３】本発明の土処理袋の使用状態の一例の斜視図である。
【図４】本発明の土処理袋の底蓋開具の動作の説明図である。
【符号の説明】
１  袋本体
２  底蓋
３  提げ手
４  底蓋開具
５  蓋
１１  前面側壁
１２  後面側壁
１３  側面側壁
２１  主要底蓋
２１１  閉込ベルト
２２  補助底蓋
３１  ベルト状物
４１  取付ベルト
４２  バックル
４２１  バックル軸
４３  固定リング
４４  中間ベルト
４５  通過リング
４６  開放紐
４７  引張リング
４８  位置保持リング
【図１】
2004331128.tif 000003
【図２】
2004331128.tif 000004
【図３】
2004331128.tif 000005
【図４】
2004331128.tif 000006